(57)【要約】【課題】アーチリブ架設用移動作業車の固定装置を、張出し架設の各施工位置において転用可能な構成とした上で、その施工位置の移動に伴いアーチリブの上面の傾斜角度が変化しても、移動作業車を直立状態でアーチリブに容易に固定可能とする。【解決手段】アーチリブ２の上面２ａに係合固定されるように構成された係合固定具１２と、この係合固定具１２の上部に設けられた砂収納容器１４と、この砂収納容器１４内に収容された砂Ｓの上に載置され、移動作業車の下端部を支持するように構成された支持具１６とを備えた構成とする。アーチリブ２の上面２ａの傾斜角度の変化に伴い、係合固定具１２と共に砂収納容器１４の傾斜角度が変化しても、砂収納容器１４内に収容された砂Ｓの量を適当に調整して、この砂Ｓを略水平に均した上で、その上に支持具１６を載置することにより、支持具１６の姿勢を常に略一定に維持可能とする。【選択図】          図４
2004162454.tif 000002
【特許請求の範囲】
【請求項１】
移動作業車を用いてアーチリブを張出し架設する際、上記移動作業車を上記アーチリブの所定位置に順次固定するための装置であって、
上記アーチリブの上面に係合固定されるように構成された係合固定具と、この係合固定具の上部に設けられた砂収納容器と、この砂収納容器内に収容された砂の上に載置され、上記移動作業車の下端部を支持するように構成された支持具と、を備えてなることを特徴とするアーチリブ架設用移動作業車の固定装置。
【請求項２】
上記係合固定具に、該係合固定具の下端面から下方へ突出する係合片が設けられており、
上記アーチリブの上面に対する上記係合固定具の係合固定が、上記係合片を上記アーチリブの上面に形成された係合用凹部に挿入することによって行われるように構成されている、ことを特徴とする請求項１記載のアーチリブ架設用移動作業車の固定装置。
【請求項３】
上記砂収納容器が、上記係合固定具と別体で構成されており、
上記係合固定具の上部に、上記砂収納容器を位置決めした状態で保持するための位置決め保持部が形成されている、ことを特徴とする請求項１または２記載のアーチリブ架設用移動作業車の固定装置。
【請求項４】
上記砂収納容器の底面壁が、該砂収納容器の周面壁と直交する面に対して所定角度傾斜するように形成されている、ことを特徴とする請求項１〜３いずれか記載のアーチリブ架設用移動作業車の固定装置。
【発明の詳細な説明】
【０００１】
【発明の属する技術分野】
本願発明は、アーチリブ架設用移動作業車の固定装置、すなわち、移動作業車を用いてアーチリブを張出し架設する際、この移動作業車をアーチリブの所定位置に順次固定するための装置に関するものである。
【０００２】
【従来の技術】
一般に、コンクリート製アーチ橋のアーチリブを張出し架設する際には、アーチリブの端部からアーチ軸に沿って移動作業車を移動させてこれを所定位置に順次固定しながら、所定長の各ブロック毎に施工を行うようになっている。
【０００３】
この張出し架設工法においては、傾斜を有するアーチリブに対して移動作業車を直立状態で固定するための固定装置が必要となる。この固定装置は、メインジャッキ用およびアンカージャッキ用の各々について必要となる。その際、特にメインジャッキ用の固定装置は、移動作業車の重量とコンクリート打設時の荷重が載荷されるので、アーチリブの上面において場所打ちコンクリートで施工された鉄筋コンクリート製の台座で構成されるのが一般的であるが、「特許文献１」に記載されているように、鋼製治具で構成されたものも知られている。
【０００４】
【特許文献１】
特開平１１−１０７２２０号公報
【発明が解決しようとする課題】
上記固定装置として鉄筋コンクリート製の台座を採用した場合には、アーチリブの各ブロックを施工するたびに台座を形成する必要があり、また、移動作業車を次のブロックに移動させるたびに台座を撤去する必要がある。この撤去作業は、斜面上でのはつり作業となるので、作業の安全性の点で問題がある。しかも、この撤去作業によりコンクリート面の耐久性が低下してしまうという問題もある。
【０００５】
一方、上記固定装置として「特許文献１」に記載されているような鋼製治具を採用した場合には、上記問題を解決することができ、しかも次のブロックでの固定作業にも鋼製治具を転用することが可能となるが、次のような問題がある。
【０００６】
すなわち、張出し架設の施工が進むにつれて、その施工位置におけるアーチリブの上面の傾斜角度は次第に変化する。したがって、移動作業車を直立状態で固定するためには、鋼製治具の上端部にテーパ金物と呼ばれる角度調整用の楔形スペーサを配置して、その上端面を常に略水平に維持する必要がある。しかしながら、必要とする角度調整量が大きくなると、配置すべき楔形スペーサの枚数が多くなるので、その固定方法や移動方法が問題となってくる。
【０００７】
本願発明は、このような事情に鑑みてなされたものであって、張出し架設の各施工位置において転用可能な構成とした上で、その施工位置の移動に伴いアーチリブの上面の傾斜角度が変化しても、移動作業車を直立状態でアーチリブに容易に固定することができる、アーチリブ架設用移動作業車の固定装置を提供することを目的とするものである。
【０００８】
【課題を解決するための手段】
本願発明は、砂を介在させて移動作業車を支持する構成とすることにより、上記目的達成を図るようにしたものである。
【０００９】
すなわち、本願発明に係るアーチリブ架設用移動作業車の固定装置は、
移動作業車を用いてアーチリブを張出し架設する際、上記移動作業車を上記アーチリブの所定位置に順次固定するための装置であって、
上記アーチリブの上面に係合固定されるように構成された係合固定具と、この係合固定具の上部に設けられた砂収納容器と、この砂収納容器内に収容された砂の上に載置され、上記移動作業車の下端部を支持するように構成された支持具と、を備えてなることを特徴とするものである。
【００１０】
上記「アーチリブ」は、その全体が張出し架設により構築されるものであってもよいし、その一部のみが張出し架設により構築されるものであってもよい。
【００１１】
上記「係合固定具」は、アーチリブの上面に係合固定されるように構成されたものであれば、その形状、材質、さらにはアーチリブの上面に対する係合固定構造等の具体的構成については特に限定されるものではない。
【００１２】
上記「砂収納容器」は、係合固定具の上部に設けられ、かつ所定量の砂を収容し得るように構成されたものであれば、その形状、材質等の具体的構成については特に限定されるものではなく、また、係合固定具と一体で構成されたものであってもよいし別体で構成されたものであってもよい。
【００１３】
上記砂収納容器内に収容される「砂」は、砂と略同等の流動性を有するものであれば、文字通りの砂に限定されるものではなく、例えば鉄粉等を用いることも可能である。
【００１４】
上記「支持具」は、砂収納容器内に収容された砂の上に載置された状態で、移動作業車の下端部を支持するように構成されたものであれば、その形状、材質、さらには砂との接触面の形状あるいは移動作業車の下端部との当接面の形状等の具体的構成については特に限定されるものではない。この場合において、支持すべき「移動作業車の下端部」の具体的部位は特に限定されるものではない。
【００１５】
【発明の作用効果】
上記構成に示すように、本願発明に係るアーチリブ架設用移動作業車の固定装置は、アーチリブの上面に係合固定されるように構成された係合固定具と、この係合固定具の上部に設けられた砂収納容器と、この砂収納容器内に収容された砂の上に載置され、移動作業車の下端部を支持するように構成された支持具とを備えた構成となっているので、次のような作用効果を得ることができる。
【００１６】
すなわち、張出し架設の施工が進むにつれて、その施工位置におけるアーチリブの上面の傾斜角度は次第に変化するので、これに係合固定される係合固定具と共に砂収納容器もその傾斜角度が次第に変化する。しかしながら、砂収納容器内に収容された砂には流動性があるので、この砂を略水平に均した上で、その上に支持具を載置するようにすれば、この支持具の姿勢を常に略一定に維持することができる。したがって、従来のような楔形スペーサを必要とすることなく、移動作業車を直立状態で固定することができる。
【００１７】
その際、アーチリブの上面の傾斜角度が大きく変化した場合、すなわち必要とする角度調整量が大きくなった場合であっても、砂収納容器内に収容された砂の量を適当に調整することにより、その砂を略水平に均すことができる範囲内であれば、容易にこれに対応することができる。そしてこれにより、大きな角度調整量に対応するために多くの枚数の楔形スペーサを配置するように構成された従来の鋼製治具において生じていた楔形スペーサの固定方法や移動方法の問題を解決することができる。
【００１８】
このように本願発明によれば、アーチリブ架設用移動作業車の固定装置において、これを張出し架設の各施工位置において転用可能な構成とした上で、その施工位置の移動に伴いアーチリブの上面の傾斜角度が変化しても、移動作業車を直立状態でアーチリブに容易に固定することができる。そしてこれにより、施工性向上を図ることができ、施工コスト削減を図ることができる。
【００１９】
上記構成において、係合固定具にその下端面から下方へ突出する係合片を設けておき、この係合片をアーチリブの上面に形成された係合用凹部に挿入することによって、アーチリブの上面に対する係合固定具の係合固定を行うようにすれば、各施工位置における固定装置の着脱作業を簡易な構成で容易に行うことができる。また、固定装置を撤去した後の後処理も、係合用凹部を埋めるだけの簡単な作業で行うことができ、コンクリート面の品質確保も容易に可能となる。
【００２０】
また上記構成において、砂収納容器を係合固定具と別体で構成するとともに、係合固定具の上部に、砂収納容器を位置決めした状態で保持するための位置決め保持部を形成しておくようにすれば、固定装置を構成する係合固定具、砂収納容器および支持具を分離して取り扱うことができるので、各施工位置での固定装置のアーチリブに対する設置作業を容易に行うことができ、また、各施工位置間における固定装置の移動も容易に行うことができる。
【００２１】
さらに上記構成において、砂収納容器の底面壁を、その周面壁と直交する面に対して所定角度傾斜するように形成しておけば、かなり幅広い角度範囲にわたって、砂収納容器内に収容された砂を略水平に均すことが可能となる。
【００２２】
【発明の実施の形態】
以下、図面を用いて、本願発明の実施の形態について説明する。
【００２３】
図１は、本願発明の一実施形態に係るアーチリブ架設用移動作業車の固定装置１０を、架設対象となる張出し架設中のアーチリブ２と、その固定対象となる移動作業車５０と共に示す側面図である。
【００２４】
本実施形態に係る固定装置１０の構成について説明する前に、アーチリブ２を張出し架設する際の工程の概要について説明する。
【００２５】
まず、アーチアバット４から延びるアーチリブ２のスプリンキング部を構成するブロックＡ１の施工を完了させた後、移動作業車５０を組み立ててブロックＡ１上に設置し、次のブロックＡ２を片持ち状に張り出すようにして施工する。そして、このブロックＡ２の施工が完了したら、移動作業車５０をアーチ軸Ａｘに沿って移動させてブロックＡ２上に固定し、その次のブロックの施工を行う。以下同様にしてアーチリブ２を伸長施工していく。その際、各ブロックにおける施工は、型枠設置、鉄筋ＰＣの組立ておよびコンクリートの打設養生の工程によって行われる。その際、フォアステー７０により施工中のブロックを斜吊りして転倒モーメントに抵抗させる。
【００２６】
この張出し架設の際に使用される移動作業車５０は、前後方向に延びる左右１対のメインガーダ５２に上端部が連結固定された前後各１対の前方支柱５４および後方支柱５６を備えた構成となっている。各前方支柱５４の下端部にはメインジャッキ５８が設けられており、その左右両側には前車輪６０が支持されている。一方、各後方支柱５６の下端部にはアンカージャッキ６２が設けられており、その左右両側には後車輪６４が支持されている。そして、左右各々のメインジャッキ５８およびアンカージャッキ６２の左右両側には、前車輪６０および後車輪６４を走行させるためのレール６６が敷設されている。
【００２７】
上記張出し架設を行う際には、傾斜を有するアーチリブ２に対して移動作業車５０を直立状態で固定することが必要となる。そこで、本実施形態においては、４つの固定装置１０を用いることにより、移動作業車５０を直立させた状態でアーチリブ２の所定位置に順次固定するようになっている。これら各固定装置１０は、いずれも同様の構成を有しており、左右１対のメインジャッキ５８の各々および左右１対のアンカージャッキ６２の各々を介して４箇所において移動作業車５０をアーチリブ２に固定するようになっている。
【００２８】
図２は、図１のＩＩ部詳細図である。また、図３は、図２のＩＩＩ−ＩＩＩ  線断面図であり、図４（ａ）は、図３のＩＶ−ＩＶ  線断面図である。
【００２９】
これらの図に示すように、固定装置１０は、アーチリブ２の上面２ａに係合固定されるように構成された係合固定具１２と、この係合固定具１２の上部に設けられた砂収納容器１４と、この砂収納容器１４内に収容された砂Ｓの上に載置され、メインジャッキ５８の下端面５８ａを支持するように構成された支持具１６とからなっている。
【００３０】
係合固定具１２は、複数枚の鋼板を溶接して組み立てることによって構成されており、側面視において略楔状に形成されている。この係合固定具１２には、その下端面１２ａから下方へ突出する１対の係合片１２ｂが設けられている。これら１対の係合片１２ｂは、左右方向に所定間隔をおいて配置されている。そして、これら各係合片１２ｂをアーチリブ２の上面２ａに形成された１対の係合用凹部２ｂの各々に挿入することにより、アーチリブ２の上面２ａに対する係合固定具１２の係合固定が行われるようになっている。各係合用凹部２ｂは、コンクリート打設時に埋込用角鋼管を用いて箱抜きすることにより形成されるようになっている。
【００３１】
砂収納容器１４は、係合固定具１２とは別体で構成されている。この砂収納容器１４は、その周面壁１４ａが円筒状に形成されており、その底面壁１４ｂが、周面壁１４ａと直交する面に対して所定角度傾斜するように形成されている。この砂収納容器１４は、その内部に収容された砂Ｓの圧力によって変形してしまうのを未然に防止するため、底版付きの一般構造用炭素鋼管で構成されている。
【００３２】
係合固定具１２の上端面１２ｃには、砂収納容器１４を位置決めした状態で保持するための位置決め保持部１２ｄが形成されている。この位置決め保持部１２ｄは、砂収納容器１４の周面壁１４ａに沿った端面形状を有する前後１対の鋼板を係合固定具１２の上端面１２ｃに溶接することにより形成されている。
【００３３】
支持具１６は、その上端面１６ａが凹曲面状に形成された鋼製のマウント部材であって、その上端面１６ａの曲率はメインジャッキ５８の下端面５８ａの凸曲面の曲率と略同じ値に設定されている。そしてこれにより、支持具１６の姿勢が多少傾斜してしまっているような場合においても、その上端面１６ａをメインジャッキ５８の下端面５８ａと面接触させるようになっている。
【００３４】
本実施形態に係る固定装置１０は、その支持具１６の上端面１６ａにメインジャッキ５８が載置されたとき、アーチリブ２の上面２ａに沿った剪断力を受けるが、係合固定具１２の各係合片１２ｂがアーチリブ２の各係合用凹部２ｂとの係合して上記剪断力に十分抵抗することができるようになっている。
【００３５】
以上詳述したように、本実施形態に係るアーチリブ架設用移動作業車の固定装置１０は、アーチリブ２の上面２ａに係合固定されるように構成された係合固定具１２と、この係合固定具１２の上部に設けられた砂収納容器１４と、この砂収納容器１４内に収容された砂Ｓの上に載置され、移動作業車５０の下端部を支持するように構成された支持具１６とを備えた構成となっているので、次のような作用効果を得ることができる。
【００３６】
すなわち、張出し架設の施工が進むにつれて、その施工位置におけるアーチリブ２の上面２ａの傾斜角度は次第に変化するので、これに係合固定される係合固定具１２と共に砂収納容器１４もその傾斜角度が次第に変化する。しかしながら、砂収納容器１４内に収容された砂Ｓには流動性があるので、この砂Ｓを略水平に均した上で、その上に支持具１６を載置するようにすれば、この支持具１６の姿勢を常に略一定に維持することができる。
【００３７】
例えば、アーチリブ２の上面２ａの傾斜角度が、図４（ａ）に示す角度αから、図４（ｂ）に示す角度β（β＜α）に大きく減少した場合においても、砂Ｓの量を減らしてこれを略水平に均すことにより、これに載置された支持具１６を略同一の姿勢に維持することができる。したがって、従来のような楔形スペーサを必要とすることなく、移動作業車５０を直立状態で固定することができる。
【００３８】
その際、アーチリブ２の上面２ａの傾斜角度が大きく変化した場合、すなわち必要とする角度調整量が大きくなった場合であっても、砂収納容器１４内に収容された砂Ｓの量を適当に調整することにより、その砂Ｓを略水平に均すことができる範囲内であれば、容易にこれに対応することができる。そしてこれにより、大きな角度調整量に対応するために多くの枚数の楔形スペーサを配置するように構成された従来の鋼製治具において生じていた楔形スペーサの固定方法や移動方法の問題を解決することができる。
【００３９】
このように本実施形態によれば、固定装置１０を張出し架設の各施工位置において転用可能な構成とした上で、その施工位置の移動に伴いアーチリブ２の上面２ａの傾斜角度が変化しても、移動作業車５０を直立状態でアーチリブ２を容易に固定することができる。そしてこれにより、施工性向上を図ることができ、施工コスト削減を図ることができる。
【００４０】
本実施形態においては、係合固定具１２にその下端面１２ａから下方へ突出する１対の係合片１２ｂが設けられており、これら係合片１２ｂをアーチリブ２の上面２ａに形成された１対の係合用凹部２ｂに挿入することによって、アーチリブ２の上面２ａに対する係合固定具１２の係合固定を行うように構成されているので、各施工位置における固定装置１０の着脱作業を簡易な構成で容易に行うことができる。
【００４１】
特に本実施形態のように、左右方向に所定間隔をおいて配置された１対の係合片１２ｂの各々を１対の係合用凹部２ｂの各々と係合させて剪断力に抵抗する構成とすることにより、固定装置１０をアーチリブ２の上面２ａに安定的に係合固定することができ、これにより移動作業車５０の固定を確実に行うことができる。なお、このようにする代わりに、係合片１２ｂの枚数を１枚あるいは３枚以上とすることも可能である。
【００４２】
また本実施形態においては、砂収納容器１４が係合固定具１２と別体で構成されており、係合固定具１２の上端面１２ｃには、砂収納容器１４を位置決めした状態で保持するための位置決め保持部１２ｄが形成されているので、固定装置１０を構成する係合固定具１２、砂収納容器１４および支持具１６を分離して取り扱うことができる。このため、各施工位置での固定装置１０のアーチリブ２に対する設置作業を容易に行うことができ、また、各施工位置間における固定装置１０の移動も容易に行うことができる。
【００４３】
さらに本実施形態においては、砂収納容器１４の底面壁１４ｂが、その周面壁１４ａと直交する面に対して所定角度傾斜するように形成されているので、かなり幅広い角度範囲にわたって、砂収納容器１４内に収容された砂Ｓを略水平に均すことが可能となる。
【００４４】
なお、上記実施形態においては、４つの固定装置１０が、左右１対のメインジャッキ５８の各々および左右１対のアンカージャッキ６２の各々を介して４箇所において移動作業車５０をアーチリブ２に固定するように構成されたものとして説明したが、実施形態に係る固定装置１０を、例えば、左右１対のメインジャッキ５８の位置にのみ配置することも可能であり、また、移動作業車５０の下端部を直接支持するように配置することも可能である。
【図面の簡単な説明】
【図１】本願発明の一実施形態に係るアーチリブ架設用移動作業車の固定装置を、架設対象となる張出し架設中のアーチリブと、その固定対象となる移動作業車と共に示す側面図
【図２】図１のＩＩ部詳細図
【図３】図２のＩＩＩ−ＩＩＩ  線断面図
【図４】図３のＩＶ−ＩＶ  線断面図（図４（ａ））および他の施工位置におけるこれと同様の図（図４（ｂ））
【符号の説明】
２  アーチリブ
２ａ  上面
２ｂ  係合用凹部
４  アーチアバット
１０  アーチリブ架設用移動作業車の固定装置
１２  係合固定具
１２ａ  下端面
１２ｂ  係合片
１２ｃ  上端面
１２ｄ  位置決め保持部
１４  砂収納容器
１４ａ  周面壁
１４ｂ  底面壁
１６  支持具
１６ａ  上端面
５０  移動作業車
５２  メインガーダ
５４  前方支柱
５６  後方支柱
５８  メインジャッキ
５８ａ  下端面
６０  前車輪
６２  アンカージャッキ
６４  後車輪
６６  レール
７０  フォアステー
Ａ１  ブロック
Ａ２  次のブロック
Ａｘ  アーチ軸
Ｓ  砂
【図１】
2004162454.tif 000003
【図２】
2004162454.tif 000004
【図３】
2004162454.tif 000005
【図４】
2004162454.tif 000006